(57)【要約】【課題】ユーザが、監視ポイントに対して、当該監視ポイントに関する情報の変更を行う際に、当該変更が施設監視システムに及ぼす影響を把握しないまま当該変更を実行してしまうことを防ぐコントローラを提供する。【解決手段】１つ以上の監視ポイント３のうちの対象監視ポイントに関する情報の変更指示を受け付ける変更指示受付部１１１と、監視ポイント３と、当該監視ポイント３に関する情報を使用する１つ以上の関連アプリケーションとが対応付けられたポイント参照情報に基づき、対象監視ポイントの重要度を判定する判定部１２と、判定部１２による重要度の判定結果に基づく通知情報を表示させるための表示制御情報を出力する表示制御部１３とを備えた。【選択図】図３
2020091619.tif 000002
【特許請求の範囲】
【請求項１】
施設監視システムに備えられ、１つ以上の監視ポイントの監視または制御を行うコントローラにおいて、
前記１つ以上の監視ポイントのうちの対象監視ポイントに関する情報の変更指示を受け付ける変更指示受付部と、
前記監視ポイントと、当該監視ポイントに関する情報を使用する１つ以上の関連アプリケーションとが対応付けられたポイント参照情報に基づき、前記対象監視ポイントの重要度を判定する判定部と、
前記判定部による前記重要度の判定結果に基づく通知情報を表示させるための表示制御情報を出力する表示制御部
とを備えたコントローラ。
【請求項２】
前記ポイント参照情報において、前記関連アプリケーションにはアプリケーション重要度が付与されており、
前記判定部は、
前記アプリケーション重要度に基づき、前記重要度を判定する
ことを特徴とする請求項１記載のコントローラ。
【請求項３】
前記判定部は、
前記アプリケーション重要度の値が第１の閾値以上である場合に、前記重要度が高いと判定する
ことを特徴とする請求項２記載のコントローラ。
【請求項４】
前記判定部は、
前記ポイント参照情報に基づき、前記対象監視ポイントを使用する前記関連アプリケーションの数に応じて、前記重要度を判定する
ことを特徴とする請求項１記載のコントローラ。
【請求項５】
前記判定部は、
前記関連アプリケーションの数が第２の閾値以上である場合に、前記重要度が高いと判定する
ことを特徴とする請求項４記載のコントローラ。
【請求項６】
前記表示制御部は、
前記変更指示受付部が受け付けた変更指示の内容を、前記通知情報として表示させるための表示制御情報を出力する
ことを特徴とする請求項１から請求項５のうちのいずれか１項記載のコントローラ。
【請求項７】
前記表示制御部は、
前記判定部が判定した重要度を、前記通知情報として表示させるための表示制御情報を出力する
ことを特徴とする請求項１から請求項６のうちのいずれか１項記載のコントローラ。
【請求項８】
前記対象監視ポイントと、当該対象監視ポイントに関する情報を使用する前記関連アプリケーションの情報とが対応付けられた一覧を表示させる表示指示を受け付ける表示指示受付部と、
前記表示指示受付部が受け付けた表示指示と、前記ポイント参照情報とに基づき、前記一覧を表示させるための表示制御情報を出力する一覧表示制御部
を備えた請求項１から請求項７のうちのいずれか１項記載のコントローラ。
【請求項９】
施設監視システムに備えられ、１つ以上の監視ポイントの監視または制御を行うコントローラによる表示制御方法において、
変更指示受付部が、前記１つ以上の監視ポイントのうちの対象監視ポイントに関する情報の変更指示を受け付けるステップと、
判定部が、前記監視ポイントと、当該監視ポイントに関する情報を使用する１つ以上の関連アプリケーションとが対応付けられたポイント参照情報に基づき、前記対象監視ポイントの重要度を判定するステップと、
表示制御部が、前記判定部による前記重要度の判定結果に基づく通知情報を表示させるための表示制御情報を出力するステップ
とを備えたコントローラによる表示制御方法。
【発明の詳細な説明】
【技術分野】
【０００１】
この発明は、施設内に設置された機器の監視または制御を行うコントローラ、および、当該コントローラによる表示制御方法に関するものである。
【背景技術】
【０００２】
従来、施設監視システムでは、コントローラが、施設監視装置からの指示等に基づき、施設内に設置された機器（以下「監視ポイント」という。）の監視または制御を行う。具体的には、コントローラは、監視ポイントから収集されたデータ（以下「監視ポイントデータ」という。）等、監視ポイントに関する情報を様々に用いて、監視ポイントの監視または制御を行う。
例えば、特許文献１には、監視ポイントの制御を行う際に、施設管理者等のユーザが、施設管理装置より、コントローラに対して、当該監視ポイントの制御を行うための制御情報を作成し、コントローラが当該制御情報に基づき、監視ポイントの制御を行う施設管理システムが開示されている。制御情報では、制御対象の監視ポイントの情報と、当該制御対象の監視ポイントに対する制御内容に関する情報が紐付けられている。なお、特許文献１における施設管理装置は上記「施設監視装置」に相当し、特許文献１における施設管理システムは上記「施設監視システム」に相当する。
一方、従来、施設監視システムでは、ユーザは、監視ポイントの発停状態等、監視ポイントに関する情報を、任意に変更することが可能である。コントローラは、監視ポイントに関する情報が変更されると、変更後の監視ポイントに関する情報を用いて、監視ポイントの監視または制御を行う。
【先行技術文献】
【特許文献】
【０００３】
【特許文献１】特開２０１８−３６９３８号公報
【発明の概要】
【発明が解決しようとする課題】
【０００４】
施設監視システムでは、上述のとおり、コントローラが監視ポイントの監視または制御を行うにあたり、当該監視ポイントに関する情報が、様々に用いられる。そのため、例えば、ある監視ポイントに対して、当該ある監視ポイントに関する情報が変更されると、当該変更が、施設監視システム全体において影響を与える可能性がある。
しかしながら、従来の施設監視システムでは、当該施設監視システムにおいて、監視ポイントに関する情報が変更される際、当該変更が施設監視システムに及ぼす影響は、考慮されない。そのため、ユーザは、施設監視システムに及ぼす影響を把握しないまま、コントローラに対して、監視ポイントに関する情報の変更を指示し、コントローラによる監視ポイントの監視または制御に、当該変更が反映されてしまうという課題があった。
【０００５】
この発明は、上記のような課題を解決するためになされたもので、ユーザが、監視ポイントに対して、当該監視ポイントに関する情報の変更を行う際に、当該変更が施設監視システムに及ぼす影響を把握しないまま当該変更を実行してしまうことを防ぐコントローラを提供することを目的とする。
【課題を解決するための手段】
【０００６】
この発明に係るコントローラは、施設監視システムに備えられ、１つ以上の監視ポイントの監視または制御を行うコントローラにおいて、１つ以上の監視ポイントのうちの対象監視ポイントに関する情報の変更指示を受け付ける変更指示受付部と、監視ポイントと、当該監視ポイントに関する情報を使用する１つ以上の関連アプリケーションとが対応付けられたポイント参照情報に基づき、対象監視ポイントの重要度を判定する判定部と、判定部による重要度の判定結果に基づく通知情報を表示させるための表示制御情報を出力する表示制御部とを備えたことを特徴とするものである。
【発明の効果】
【０００７】
この発明によれば、ユーザが、監視ポイントに対して、当該監視ポイントに関する情報の変更を行う際に、当該変更が施設監視システムに及ぼす影響を把握しないまま当該変更を実行してしまうことを防ぐことができる。
【図面の簡単な説明】
【０００８】
【図１】実施の形態１に係るコントローラを備えた施設監視システムの構成例を示す図である。
【図２】実施の形態１において、コントローラが監視ポイントの監視または制御に用いるポイント参照情報の内容の一例を説明するための図である。
【図３】実施の形態１に係るコントローラの構成例を示す図である。
【図４】実施の形態１において、表示装置が、表示制御部から出力された表示制御情報に基づいて通知情報を表示させた画面の一例を示す図である。
【図５】実施の形態１において、表示装置が、表示制御部から出力された表示制御情報に基づいて通知情報を表示させた画面のその他の一例を示す図である。
【図６】実施の形態１において、表示装置が、一覧表示制御部から出力された表示制御情報に基づいて使用アプリケーション一覧を表示させた画面の一例を示す図である。
【図７】実施の形態１に係るコントローラの動作を説明するためのフローチャートである。
【発明を実施するための形態】
【０００９】
以下、この発明の実施の形態について図面を参照しながら詳細に説明する。
実施の形態１．
図１は、実施の形態１に係るコントローラ１を備えた施設監視システムの構成例を示す図である。
施設監視システムは、ビル等の施設内に設置された１つ以上の監視ポイントを監視または制御するビル監視システム等に適用することができる。
施設監視システムは、コントローラ１、施設監視装置２、および、監視ポイント３を備える。施設監視装置２とコントローラ１とは、ネットワークを介して接続される。また、コントローラ１には、ネットワークを介して、施設内に設置された監視ポイント３が接続される。
図１では、説明の簡単のため、コントローラ１は、１台のみ図示しているが、施設監視システムは、１台以上のコントローラ１を備える。
また、図１では、説明の簡単のため、監視ポイント３は、１つのみ図示しているが、施設監視システムにおいて、コントローラ１には、１つ以上の監視ポイント３が接続される。監視ポイント３は、温度センサ、電力計、照明、スイッチ、または、モータ等である。
【００１０】
施設監視装置２は、コントローラ１を介して、監視ポイント３の監視または制御を行う。
【００１１】
コントローラ１は、監視ポイント３に関する情報に基づき、監視ポイント３の監視または制御を行う。
監視ポイント３に関する情報には、例えば、当該監視ポイントで計測された、温度、湿度、または、電力等のデータ、発停状態を示すデータ、または、設定値のデータが含まれる。コントローラ１は、これらのデータ（以下「監視ポイントデータ」という。）を、監視ポイント３から収集する。
コントローラ１が、監視ポイントに対して、どのような監視または制御を行うかは、施設監視装置２の指示に基づく。
具体的には、施設管理者または施設監視システムの開発者等のユーザは、施設監視装置２から、マウスまたはキーボード等の入力装置（図示省略）を操作して、監視ポイント３を監視または制御するための情報（以下「ポイント参照情報」という。）を入力する。ユーザによって入力されたポイント参照情報は、後述の記憶部１４に記憶され、コントローラ１は、当該ポイント参照情報に基づいて、監視ポイント３の監視または制御を行う。
【００１２】
ここで、ポイント参照情報について、一例を挙げて詳細に説明する。
図２は、実施の形態１において、コントローラ１が監視ポイント３の監視または制御に用いるポイント参照情報の内容の一例を説明するための図である。
図２に示すように、ポイント参照情報は、監視ポイント３と、当該監視ポイントに関する情報を使用する１つ以上の関連アプリケーションとが対応付けられた情報である。
コントローラ１は、ポイント参照情報に基づき、監視ポイント３に関する情報を用いて、当該監視ポイント３に対応付けられている関連アプリケーションを実行することで、監視ポイント３の監視または制御を行う。
【００１３】
例えば、図２のポイント参照情報に基づき、コントローラ１は、監視ポイントＡＡ（例えば排気バルブ）および監視ポイントＣＣ（例えば空調バルブ）の監視ポイントデータを示すグラフィックを含むサマリグラフを、後述の表示装置２１に表示させる関連アプリケーション「グラフィック１−１」を、実行する。
また、例えば、コントローラ１は、監視ポイントＥＥ（例えば照明）の発停状態が停止であると、設定された監視ポイント３（例えば発電機）を稼働させる関連アプリケーション「停電制御ＷＷＷ」を実行する。
また、例えば、コントローラ１は、監視ポイントＤＤ（例えば電力計）の監視ポイントデータを入力信号として、設定された監視ポイント３（例えば照明）を稼働させる関連アプリケーション「電力デマンドＹＹＹ」を実行する。
【００１４】
ポイント参照情報において、各関連アプリケーションには、当該各関連アプリケーションの重要度（以下「アプリケーション重要度」という。）の情報が付与されている。アプリケーション重要度とは、関連アプリケーションの実行が、施設監視システムにおける監視ポイント３の監視または制御においてどれほどの影響を与えるかの指標であり、当該アプリケーション重要度は、適宜、ユーザが設定する。以下の説明において、施設監視システムにおいて監視ポイント３を監視または制御することを、単に、「施設監視システムを監視または制御する」ともいう。
実施の形態１では、ユーザは、アプリケーション重要度を、「１：高い」または「０：低い」の２段階で設定しているとものとする。なお、これは一例に過ぎず、ユーザは、アプリケーション重要度を、適宜の数の段階に分けて設定することができ、アプリケーション重要度は、関連アプリケーションの実行が施設監視システムの監視または制御において与える影響を判定できる情報になっていればよい。
アプリケーション重要度は、コントローラ１が、監視ポイント３に関する情報を変更する指示を受け付けた場合（詳細は後述する）、当該情報の変更対象となる監視ポイント３の重要度を判定する際に使用される（詳細は後述する）。
【００１５】
例えば、サマリグラフ等のグラフィック画面を表示するアプリケーションは、監視ポイントに関する情報を、単に画面表示させるために用いるものであり、施設監視システムの監視または制御において、変更された監視ポイントに関する情報を用いた当該アプリケーションが与える影響は、小さいと推定できる。そこで、図２のポイント参照情報でいうと、関連アプリケーション「グラフィック」には重要度「０」が付与されている。
一方、例えば、発電機はカバーするエリアが決められており、照明が停止した場合に、停止した照明によっては、稼働させる必要がある発電機が多岐にわたる。照明が停止した場合に発電機を稼働させるようなアプリケーションは、稼働状況が変更される発電機が多く発生すると、実行される範囲が大きくなり、施設監視システムの監視または制御において与える影響は大きいと推定できる。したがって、図２のポイント参照情報でいうと、関連アプリケーション「停電制御」には重要度「１」が付与されている。
【００１６】
コントローラ１は、上述の、図２を用いて説明したようなポイント参照情報に基づいて、監視ポイント３の監視または制御を行う。
以下、実施の形態１において、後述の記憶部１４に記憶されているポイント参照情報は、図２に示すような内容であるものとする。
【００１７】
また、コントローラ１は、監視ポイント３に関する情報の変更を行うことが可能である。具体的には、ユーザは、例えば、施設監視装置２から、入力装置を操作して、コントローラ１に対して、ポイント参照情報変更画面を呼び出し、表示装置２１にポイント参照情報変更画面を表示させる（図示は省略する）。そして、ユーザは、ポイント参照情報変更画面から、ポイント参照情報の変更指示を入力する。ポイント参照情報変更画面には、少なくとも、対象監視ポイントを入力するための対象監視ポイント入力部と、ポイント参照情報の変更内容に関する情報を入力するための変更情報入力部が表示される。
ユーザは、入力装置を操作して、ポイント参照情報変更画面から、監視ポイント３に関する情報の変更指示を入力する。施設監視装置２は、受け付けた変更指示をコントローラ１に送信し、コントローラ１は、施設監視装置２から送信された変更指示を受け付ける。
コントローラ１は、変更指示を受け付けると、上述のポイント参照情報に基づき、情報の変更を指示された監視ポイント３（以下「対象監視ポイント」という。）の重要度を判定する。そして、コントローラ１は、対象監視ポイントの重要度を判定した判定結果に基づく通知情報を表示させるための表示制御情報を、表示装置２１に出力する。表示装置２１は、コントローラ１から出力された表示制御情報に基づき、通知情報を表示する。
ユーザは、入力した変更指示に対して表示装置２１に表示された通知情報を確認し、入力した変更指示を実行させるか否かを判断し、実行させると判断すると、入力装置を操作して、施設監視装置２から、実行指示を入力する。施設監視装置２は、入力された実行指示をコントローラ１に送信する。
コントローラ１は、施設監視装置２から実行指示が送信されると、当該実行指示を受け付け、先に取得した変更指示に基づき、対象監視ポイントに関する情報の変更を行う。
【００１８】
なお、ユーザは、通知情報を確認すると、入力した変更指示を実行させるか否かを判断するための補助的な情報として、対象監視ポイントと、当該対象監視ポイントに関する情報を使用する関連アプリケーションの情報とが対応付けられた一覧（以下「使用アプリケーション一覧」という。）を表示させるための表示制御情報を表示装置２１に出力することもできる。ユーザは、入力装置を操作して、施設監視装置２から、使用アプリケーション一覧の表示指示を入力する。施設監視装置２は、入力された、使用アプリケーション一覧の表示指示をコントローラ１に送信する。
コントローラ１は、施設監視装置２から、使用アプリケーション一覧の表示指示が送信されると、当該表示指示を受け付け、当該表示指示と、上述のポイント参照情報とに基づき、使用アプリケーション一覧を表示させるための表示制御情報を、表示装置２１に出力する。
ユーザは、表示装置２１が表示した使用アプリケーション一覧を確認して、入力した変更指示を実行させるか否かを判断する。そして、ユーザは、使用アプリケーション一覧を確認した結果、入力した変更指示を実行させると判断すると、上述の、実行指示を入力する。
コントローラ１による対象監視ポイントの重要度の判定の詳細、および、コントローラ１が表示させる通知情報または使用アプリケーション一覧の詳細については、具体例を挙げて後述する。
【００１９】
図３は、実施の形態１に係るコントローラ１の構成例を示す図である。
コントローラ１の動作は、ソフトウェアに基づくＣＰＵ（Ｃｅｎｔｒａｌ  Ｐｒｏｃｅｓｓｉｎｇ  Ｕｎｉｔ）を用いたプログラム処理によって実行される。
コントローラ１は、表示装置２１と接続される。表示装置２１は、例えば、施設監視装置２が備える。なお、図３において、説明の簡単のため、コントローラ１と接続される、施設監視装置２および監視ポイント３の図示は省略している。
【００２０】
コントローラ１は、受付部１１、判定部１２、表示制御部１３、記憶部１４、および、ポイント制御部１５を備える。
受付部１１は、変更指示受付部１１１、実行指示受付部１１２、および、表示指示受付部１１３を備える。また、表示制御部１３は、一覧表示制御部１３１を備える。
【００２１】
受付部１１は、各種指示に関する情報を受け付ける。
変更指示受付部１１１は、対象監視ポイントに関する情報の変更指示を受け付ける。
具体的には、変更指示受付部１１１は、ユーザが施設監視装置２から入力した変更指示を受け付ける。
変更指示受付部１１１は、受け付けた変更指示に関する情報を、判定部１２に出力する。変更指示受付部１１１から出力される変更指示に関する情報には、対象監視ポイントの情報、および、対象監視ポイントに関する情報の変更内容の情報が含まれる。
【００２２】
実行指示受付部１１２は、変更指示受付部１１１が受け付けた変更指示を実行させる実行指示を受け付ける。
具体的には、実行指示受付部１１２は、ユーザが施設監視装置２から入力した実行指示を受け付ける。
実行指示受付部１１２は、受け付けた実行指示に関する情報を、ポイント制御部１５に出力する。実行指示受付部１１２から出力される実行指示に関する情報には、変更指示受付部１１１から出力された、変更指示に関する情報の内容が含まれる。
【００２３】
表示指示受付部１１３は、使用アプリケーション一覧を表示させる表示指示を受け付ける。
具体的には、表示指示受付部１１３は、ユーザが施設監視装置２から入力した、使用アプリケーション一覧を表示させる表示指示を受け付ける。
表示指示受付部１１３は、受け付けた表示指示に関する情報を、表示制御部１３の一覧表示制御部１３１に出力する。表示指示受付部１１３から出力される表示指示に関する情報には、変更指示受付部１１１から出力された、変更指示に関する情報の内容が含まれる。
【００２４】
判定部１２は、変更指示受付部１１１から出力された変更指示に関する情報と、ポイント参照情報に基づき、対象監視ポイントの重要度を判定する。
具体的には、判定部１２は、ポイント参照情報において、対象監視ポイントと対応付けられている関連アプリケーションに付与されているアプリケーション重要度に基づき、対象監視ポイントの重要度を判定する。
判定部１２は、対象監視ポイントと対応付けられているアプリケーション重要度が閾値（以下「第１の閾値」という。）以上であれば、対象監視ポイントの重要度は「高い」と判定し、第１の閾値未満であれば、対象監視ポイントの重要度は「低い」と判定する。実施の形態１では、第１の閾値を「１」とする。すなわち、実施の形態１では、判定部１２は、アプリケーション重要度が「１：高い」であれば、対象監視ポイントの重要度は「高い」と判定し、アプリケーション重要度が「０：低い」であれば、対象監視ポイントの重要度は「低い」と判定する。
【００２５】
具体例を挙げると、例えば、変更指示受付部１１１が、監視ポイントＢＢ（例えば煙検知器）を対象監視ポイントとして、当該監視ポイントＢＢの発停状態を「ＯＦＦ」から「ＯＮ」に変更する変更指示を受け付けたとする。この場合、ポイント参照情報（図２参照）に基づくと、監視ポイントＢＢに対応付けられている関連アプリケーション「火災制御」には、アプリケーション重要度「１：高い」が付与されている。よって、判定部１２は、対象監視ポイント（監視ポイントＢＢ）の重要度は「高い」と判定する。
一方、例えば、変更指示受付部１１１が、監視ポイントＡＡを対象監視ポイントとして、当該監視ポイントＡＡの発停状態を「ＯＦＦ」から「ＯＮ」に変更する変更指示を受け付けたとする。この場合、ポイント参照情報（図２参照）に基づくと、監視ポイントＡＡに対応付けられている関連アプリケーション「グラフィック」には、アプリケーション重要度「０：低い」が付与されている。よって、判定部１２は、対象監視ポイント（監視ポイントＡＡ）の重要度は「低い」と判定する。
判定部１２は、対象監視ポイントの重要度の判定結果の情報を、表示制御部１３に出力する。
【００２６】
なお、ポイント参照情報において、対象監視ポイントに対応付けられている関連アプリケーションが複数ある場合、判定部１２は、当該複数の関連アプリケーションのうち、１つでも、アプリケーション重要度「１：高い」が付与されている関連アプリケーションがあれば、対象監視ポイントの重要度は「高い」と判定するものとする。
【００２７】
また、実施の形態１では、判定部１２は、対象監視ポイントの重要度は「高い」か「低い」かの２段階で判定するものとするが、これは一例に過ぎない。判定部１２は、例えば、対象監視ポイントの重要度を、「高い」、「標準」および「低い」というように、３段階で判定するようにしてもよいし、３つ以上の段階に分けて判定するようにしてもよい。
【００２８】
表示制御部１３は、判定部１２から出力された、対象監視ポイントの重要度の判定結果に基づき、通知情報を表示させるための表示制御情報を、表示装置２１に出力する。具体的には、例えば、表示制御部１３は、判定部１２から出力された、対象監視ポイントの重要度の判定結果が「高い」である場合、通知情報を出力させるための表示制御情報を、表示装置２１に出力する。
表示装置２１は、表示制御部１３から出力された表示制御情報に基づき、通知情報を表示する。
実施の形態１において、通知情報とは、例えば、ユーザに対して、変更指示受付部１１１が受け付けた変更指示を実行してよいか否かの判断を促すメッセージを含む。具体的には、例えば、変更指示受付部１１１が、監視ポイントＢＢを対象監視ポイントとして、当該監視ポイントＢＢの発停状態を「ＯＦＦ」から「ＯＮ」に変更する変更指示を受け付けたとする。そして、判定部１２から、監視ポイントＢＢの重要度は「高い」との判定結果が出力されたとする。この場合、表示制御部１３は、ユーザに対して、監視ポイントＢＢに対する発停状態の変更指示を実行してよいか否かの判断を促すメッセージを表示させるための表示制御情報を、表示装置２１に出力する。
【００２９】
ここで、図４は、実施の形態１において、表示装置２１が、表示制御部１３から出力された表示制御情報に基づいて通知情報を表示させた画面の一例を示す図である。
図４に示すように、通知情報には、ユーザに対して、監視ポイントＢＢに対する発停状態の変更指示を実行してよいか否かの判断を促すメッセージの他、例えば、変更指示受付部１１１が受け付けた、対象監視ポイントの変更指示の内容に関する情報が含まれる。つまり、表示装置２１は、変更指示受付部１１１が受け付けた、対象監視ポイントの変更指示の内容を表示する（図４の４１参照）。
【００３０】
図５は、実施の形態１において、表示装置２１が、表示制御部１３から出力された表示制御情報に基づいて通知情報を表示させた画面のその他の一例を示す図である。
図５に示すように、通知情報には、例えば、判定部１２が判定した、対象監視ポイントの重要度の判定結果に関する情報が含まれ、表示装置２１は、判定部１２が判定した、対象監視ポイントの重要度を表示するようにしてもよい（図５の５１参照）。
表示装置２１は、図４または図５に示すような画面を、例えば、ポイント参照情報変更画面にポップアップ表示する。
図４および図５の画面例で示す、詳細ボタン４２、ＯＫボタン４３、および、キャンセルボタン４４については後述する。
【００３１】
表示制御部１３が備える一覧表示制御部１３１は、表示指示受付部１１３から使用アプリケーション一覧の表示指示に関する情報が出力された場合、ポイント参照情報に基づき、使用アプリケーション一覧を表示させるための表示制御情報を出力する。
例えば、ユーザは、表示装置２１が表示した通知情報（図４または図５参照）を確認した後、使用アプリケーション一覧を表示させるようにすることができる。ユーザは、使用アプリケーション一覧を表示させたい場合、例えば、表示装置２１に表示されている詳細ボタン４２（図４または図５参照）を、入力装置でクリックする等して、アプリケーション一覧の表示指示を入力する。詳細ボタン４２は、図４および図５に示すように、表示装置２１が、表示制御情報に基づき通知情報を表示する際に、あわせて表示される。
表示装置２１は、一覧表示制御部１３１から出力された表示制御情報に基づき、使用アプリケーション一覧を表示する。
【００３２】
図６は、実施の形態１において、表示装置２１が、一覧表示制御部１３１から出力された表示制御情報に基づいて使用アプリケーション一覧を表示させた画面の一例を示す図である。
図６は、一例として、変更指示受付部１１１が、監視ポイントＢＢを対象監視ポイントとして、当該監視ポイントＢＢの発停状態を「ＯＦＦ」から「ＯＮ」に変更する変更指示を受け付け、当該変更指示に伴う通知情報が表示装置２１に表示された後（図４または図５参照）、表示指示受付部１１３から、使用アプリケーション一覧の表示指示が出力された場合に、使用アプリケーション一覧が表示された画面としている。
ポイント参照情報（図２）に基づくと、監視ポイントＢＢに対応付けられている関連アプリケーションは「グラフィック１−２」および「火災制御ＸＸＸ」である。
よって、表示制御部１３は、監視ポイントＢＢに対応付けられている関連アプリケーションとして「グラフィック１−２」および「火災制御ＸＸＸ」を示す使用アプリケーション一覧を表示させるための表示制御情報を出力する。そして、表示装置２１は、図６に示すようなアプリケーション一覧を表示する。
表示装置２１は、図６に示すようなアプリケーション一覧を、例えば、ポイント参照情報変更画面にポップアップ表示してもよいし、アプリケーション一覧を、ポイント参照情報変更画面から切り替えて表示するようにしてもよい。
【００３３】
なお、ここでは、表示制御部１３は、対象監視ポイントに対応付けられている関連アプリケーション全てを、使用アプリケーション一覧にて表示させるようにするものとするが、これは一例に過ぎない。例えば、表示制御部１３は、対象監視ポイントに対応付けられている関連アプリケーションのうち、重要度が高い関連アプリケーションのみを、使用アプリケーション一覧にて表示させるようにしてもよい。この場合、上述の例でいうと、「火災制御ＸＸＸ」のみが、監視ポイントＢＢに対応付けられている関連アプリケーションとして、使用アプリケーション一覧に表示されることになる。
【００３４】
ユーザは、表示装置２１が表示した使用アプリケーション一覧を確認して、入力した変更指示を実行させるか否かを判断する。ここでは、ユーザは、使用アプリケーション一覧を確認して、対象監視ポイントである監視ポイントＢＢの発停状態を「ＯＦＦ」から「ＯＮ」にする変更指示を実行させるか否かを判断する。
ユーザは、使用アプリケーション一覧を確認した結果、入力した変更指示を実行させると判断すると、実行指示を入力する。具体的には、ユーザは、入力装置を操作して、表示装置２１が表示している、ＯＫボタン４３をクリック等する。ＯＫボタン４３がクリック等されると、実行指示受付部１１２は、変更指示受付部１１１が受け付けた変更指示を実行させる実行指示を受け付け、実行指示に関する情報を、ポイント制御部１５に出力する。そして、ポイント制御部１５によって、変更指示受付部１１１が受け付けた変更指示が実行される。ポイント制御部１５については、後述する。
一方、ユーザは、使用アプリケーション一覧を確認した結果、入力した変更指示を実行させないと判断すると、入力装置を操作して、表示装置２１が表示している、キャンセルボタン４４をクリック等する。キャンセルボタン４４がクリック等されると、実行指示受付部１１２は、実行指示を受け付けず、変更指示受付部１１１が受け付けた変更指示は実行されない。
【００３５】
記憶部１４は、ＨＤＤ（Ｈａｒｄ  Ｄｉｓｋ  Ｄｒｉｖｅ）またはメモリ等であり、ポイント参照情報および監視ポイントデータを記憶する。
なお、実施の形態１では、記憶部１４は、コントローラ１に備えられるものとするが、これに限らず、記憶部１４は、コントローラ１の外部の、コントローラ１および施設監視装置２が参照可能な場所に備えられるものとしてもよい。
【００３６】
ポイント制御部１５は、監視ポイント３の監視または制御を行う。
例えば、ポイント制御部１５は、実行指示受付部１１２から、変更指示を実行させる実行指示に関する情報が出力された場合、当該実行指示に基づき、対象監視ポイントに関する情報の変更を実行する。
また、例えば、ポイント制御部１５は、通信部（図示省略）が監視ポイント３から収集した監視ポイントデータを記憶部１４に記憶させる。
【００３７】
実施の形態１に係るコントローラ１の動作について説明する。
図７は、実施の形態１に係るコントローラ１の動作を説明するためのフローチャートである。
変更指示受付部１１１は、対象監視ポイントに関する情報の変更指示を受け付けるまで待機し（ステップＳＴ７０１の“ＮＯ”の場合）、対象監視ポイントに関する情報の変更指示を受け付けると（ステップＳＴ７０１の“ＹＥＳ”の場合）、受け付けた変更指示に関する情報を、判定部１２に出力する。
【００３８】
判定部１２は、ステップＳＴ７０１にて変更指示受付部１１１から出力された変更指示に関する情報と、ポイント参照情報に基づき、対象監視ポイントの重要度を判定する（ステップＳＴ７０２）。
【００３９】
判定部１２が、対象監視ポイントの重要度は「低い」と判定した場合（ステップＳＴ７０３の“ＮＯ”の場合）、ステップＳＴ７０８へ進む。
判定部１２が、対象監視ポイントの重要度は「高い」と判定した場合（ステップＳＴ７０３の“ＹＥＳ”の場合）、表示制御部１３は、通知情報を出力させるための表示制御情報を、表示装置２１に出力する（ステップＳＴ７０４）。
そして、表示装置２１は、通知情報を表示する。ユーザは、表示された通知情報を確認し、使用アプリケーション一覧を表示させたい場合は、使用アプリケーション一覧の表示指示を入力する。ユーザは、使用アプリケーション一覧を表示させることなく、対象監視ポイントに関する情報の変更を実行したい場合は、対象監視ポイントに関する情報の変更の実行指示を入力する。
なお、ユーザは、この時点で、対象監視ポイントに関する情報の変更を実行させないと判断した場合、処理を終了させてもよい。具体的には、ユーザは、例えば、表示装置２１が表示しているキャンセルボタン４４（図４または図５参照）を入力装置でクリック等して、処理を終了させる指示を入力する。コントローラ１では、例えば、実行指示受付部１１２が、処理を終了させる指示を受け付け、処理終了させる。
【００４０】
表示指示受付部１１３は、使用アプリケーション一覧を表示させる表示指示を受け付けたかどうかを判定する（ステップＳＴ７０５）。
表示指示受付部１１３が、使用アプリケーション一覧を表示させる表示指示を受け付けない場合（ステップＳＴ７０５の“ＮＯ”の場合）、ステップＳＴ７０７へ進む。
表示指示受付部１１３が、使用アプリケーション一覧を表示させる表示指示を受け付けた場合（ステップＳＴ７０５の“ＹＥＳ”の場合）、一覧表示制御部１３１は、ポイント参照情報に基づき、使用アプリケーション一覧を表示させるための表示制御情報を出力する（ステップＳＴ７０６）。
そして、表示装置２１は、使用アプリケーション一覧を表示する。ユーザは、表示された使用アプリケーション一覧を確認し、対象監視ポイントに関する情報の変更を実行させるか否かを判断する。ユーザは、対象監視ポイントに関する情報の変更を実行させると判断すると、実行指示を入力する。ユーザは、対象監視ポイントに関する情報の変更を実行させないと判断すると、処理を終了させる。
【００４１】
実行指示受付部１１２は、変更指示受付部１１１が受け付けた変更指示を実行させる実行指示を受け付けたかどうかを判定する（ステップＳＴ７０７）。
実行指示受付部１１２が、実行指示を受け付けない場合（ステップＳＴ７０７の“ＮＯ”の場合）、処理終了する。
実行指示受付部１１２が、実行指示を受け付けた場合（ステップＳＴ７０７の“ＹＥＳ”の場合）、ポイント制御部１５は、実行指示受付部１１２がステップＳＴ７０１にて受け付けた実行指示に基づき、対象監視ポイントに関する情報の変更を実行する（ステップＳＴ７０８）。
【００４２】
このように、実施の形態１に係るコントローラ１は、ユーザから、対象監視ポイントに関する情報の変更指示を受け付けた際に、当該対象監視ポイントの重要度を判定し、重要度が高い場合、通知情報を表示装置２１に表示させる。さらに、コントローラ１は、ユーザからの指示に基づき、ユーザが、監視ポイントに関する情報の変更を実行してもよいか否か判断する際の補助的な情報として、使用アプリケーション一覧を表示する。
ユーザは、通知情報、または、使用アプリケーション一覧を確認した上で、対象監視ポイントに関する情報の変更指示を実行させると判断した場合、対象監視ポイントに関する情報の変更の実行指示を入力し、コントローラ１は、対象監視ポイントに関する情報の変更を実行する。
【００４３】
従来、ユーザが対象監視ポイントに関する情報を変更する際、当該変更による、施設監視システムの監視または制御への影響は考慮されていなかった。よって、例えば、ユーザが指示した変更が実行されてしまった後、ユーザが、当該変更による、施設監視システムにおける監視または制御への影響の大きさを把握するというようなおそれもあった。そうすると、監視ポイントの監視または制御に影響が出たことによって、監視または制御の状態を元に戻す、または、当該影響に対する対策を行う等、ユーザが実行した変更に伴う新たな作業が発生し兼ねない。
なお、従来も、ユーザが、対象監視ポイントに関する情報の変更指示を実行させる前に、別途、当該対象監視ポイントに対応付けられている関連アプリケーションを確認することは可能ではあった。しかし、当該確認動作はユーザ任せであり、必ずしも、ユーザが変更指示の実行前に、施設監視システムにおける監視または制御への影響を把握した上で、対象監視ポイントに関する情報の変更を実行できているとはいえなかった。
これに対し、実施の形態１に係るコントローラ１は、上述のとおり、ユーザから、対象監視ポイントに関する情報の変更指示を受け付けた際に、当該対象監視ポイントの重要度を判断し、重要度が高い場合、通知情報を表示装置２１に表示させる。ユーザは、通知情報が表示されることで、対象監視ポイントに関する情報の変更を実行する前に、本当に当該変更を実行してもよいか否か、判断することができる。さらに、コントローラ１は、ユーザからの指示に基づき、使用アプリケーション一覧を表示する。これにより、ユーザは、対象監視ポイントに関する情報を変更することによる影響を把握し、より容易に、当該変更を実行してもよいか否かを判断することができる。その結果、例えば、対象監視ポイントに関する情報を変更してしまった後になってはじめてユーザが当該変更の影響を把握し、当該変更による影響が大きいことにより、監視または制御の状態を元に戻す、または、当該影響に対する対策を行う等の作業が発生することを防ぐことができる。
【００４４】
なお、以上の実施の形態１では、判定部１２は、ポイント参照情報において、対象監視ポイントと対応付けられている関連アプリケーションに付与されているアプリケーション重要度に基づき、対象監視ポイントの重要度を判定するものとした。しかし、これは一例に過ぎず、判定部１２は、別の方法で、対象監視ポイントの重要度を判定するようにしてもよい。以下、具体的に説明する。
例えば、判定部１２は、ポイント参照情報に基づき、対象監視ポイントを使用する関連アプリケーションの数に応じて、対象監視ポイントの重要度を判定するようにすることもできる。具体的には、判定部１２は、関連アプリケーションの数が閾値（以下「第２の閾値」という。）以上である場合に、前記重要度が高いと判定する。
具体例を挙げると、今、第２の閾値が「３」であるとし、ユーザが、監視ポイントＤＤを対象監視ポイントとして、当該監視ポイントＤＤの発停状態の変更指示を入力したとする。この場合、ポイント参照情報（図２参照）に基づくと、監視ポイントＤＤに対応付けられている関連アプリケーションは、「月報（１）」、「電力デマンドＹＹＹ」、および、「条件演算ＺＺＺ」の３つである。対象監視ポイントに対応付けられている関連アプリケーションの数が第２の閾値以上であるので、判定部１２は、対象監視ポイント（監視ポイントＤＤ）の重要度は「高い」と判定する。
【００４５】
また、判定部１２は、対象監視ポイントの重要度を判定するにあたり、対象監視ポイントと対応付けられている関連アプリケーションに付与されているアプリケーション重要度と、対象監視ポイントと対応付けられている関連アプリケーションの数とを組み合わせて、対象監視ポイントの重要度を判定するようにしてもよい。
具体例を挙げると、今、第２の閾値が「３」であるとし、ユーザが監視ポイントＣＣを対象監視ポイントとして、当該監視ポイントＣＣの設定値の発停状態の変更指示を入力したとする。この場合、ポイント参照情報に基づくと、監視ポイントＣＣに対応付けられている関連アプリケーションは、「グラフィック１−１」、「グラフィック１−２」、および、「グラフィック１−３」であり、いずれも、アプリケーション重要度は「０：低い」である。すなわち、アプリケーション重要度は、第１の閾値未満である。
しかし、監視ポイントＣＣに対応付けられている関連アプリケーションの数は、「３」であり、第２の閾値以上である。
よって、判定部１２は、対象監視ポイント（監視ポイントＣＣ）の重要度は「高い」と判定する。
このように、判定部１２は、対象監視ポイントと対応付けられている関連アプリケーションに付与されているアプリケーション重要度と、対象監視ポイントと対応付けられている関連アプリケーションの数とを組み合わせ、アプリケーション重要度が第１の閾値以上であるか、関連アプリケーションの数が第２の閾値以上であるかの、いずれかを満たせば、対象監視ポイントの重要度は「高い」と判定するようにしてもよい。
【００４６】
また、以上の実施の形態１では、コントローラ１は、表示装置２１に通知情報を表示させた際に、使用アプリケーション一覧の表示指示を受け付け、当該使用アプリケーション一覧を表示させる機能を有するものとしたが、これは一例に過ぎず、コントローラ１は、当該機能を有しないものとしてもよい。
この場合、ユーザは、通知情報を確認して、入力した変更指示を実行させるか否かを判断する。また、この場合、コントローラ１は、表示指示受付部１１３および一覧表示制御部１３１を備えない構成とすることができる。
【００４７】
また、以上の実施の形態１では、表示制御部１３は、判定部１２が、対象監視ポイントの重要度が「高い」と判定した場合にのみ、通知情報を表示させるための表示制御情報を出力するものとしたが、これは一例に過ぎない。表示制御部１３は、判定部１２が、対象監視ポイントの重要度は「高い」と判定したか、「低い」と判定したかに依らず、通知情報を出力するものとしてもよい。
【００４８】
また、以上の実施の形態１では、表示制御部１３は、通知情報として、変更指示受付部１１１が受け付けた変更指示の内容、または、対象監視ポイントの重要度のいずれかを表示させるものとしたが（図４または図５参照）、これは一例に過ぎない。表示制御部１３は、通知情報として、変更指示受付部１１１が受け付けた変更指示の内容、および、対象監視ポイントの重要度の両方を、通知情報として、表示させるようにしてもよい。
また、表示制御部１３は、通知情報として、変更指示を実行してよいか否かの判断を促すメッセージは含めず、変更指示受付部１１１が受け付けた変更指示の内容、または、対象監視ポイントの重要度を、通知情報としてもよい。
【００４９】
以上のように、実施の形態１によれば、コントローラ１は、１つ以上の監視ポイント３のうちの対象監視ポイントに関する情報の変更指示を受け付ける変更指示受付部１１１と、監視ポイント３と、当該監視ポイントに関する情報を使用する１つ以上の関連アプリケーションとが対応付けられたポイント参照情報に基づき、対象監視ポイントの重要度を判定する判定部１２と、判定部１２による重要度の判定結果に基づく通知情報を表示させるための表示制御情報を出力する表示制御部１３とを備えるように構成した。そのため、ユーザが、監視ポイントに対して、当該監視ポイントに関する情報の変更を行う際に、当該変更が施設監視システムに及ぼす影響を把握しないまま当該変更を実行してしまうことを防ぐことができる。
また、実施の形態１によれば、コントローラ１は、対象監視ポイントと、当該対象監視ポイントに関する情報を使用する関連アプリケーションの情報とが対応付けられた一覧（使用アプリケーション一覧）を表示させる表示指示を受け付ける表示指示受付部１１３と、表示指示受付部１１３が受け付けた表示指示と、ポイント参照情報とに基づき、使用アプリケーション一覧を表示させるための表示制御情報を出力する一覧表示制御部１３１を備えるようにした。そのため、ユーザは、より容易に、対象監視ポイントに関する情報の変更を実行してもよいか否かを判断することができる。
【００５０】
なお、本願発明はその発明の範囲内において、実施の形態の任意の構成要素の変形、もしくは実施の形態の任意の構成要素の省略が可能である。
【符号の説明】
【００５１】
１  コントローラ
２  施設監視装置
３  監視ポイント
１１  受付部
１１１  変更指示受付部
１１２  実行指示受付部
１１３  表示指示受付部
１２  判定部
１３  表示制御部
１３１  一覧表示制御部
１４  記憶部
１５  ポイント制御部
２１  表示装置
【図１】
2020091619.tif 000003
【図２】
2020091619.tif 000004
【図３】
2020091619.tif 000005
【図４】
2020091619.tif 000006
【図５】
2020091619.tif 000007
【図６】
2020091619.tif 000008
【図７】
2020091619.tif 000009